(57)【要約】【課題】２つのファクシミリ装置間で送受信される制御信号の衝突（バッティング）の繰り返しを回避し、通信エラーの発生を防止することを課題とする。【解決手段】読み取った原稿の画像データ及び画像データを送信する所定の通信シーケンスを実現するために規定された複数の制御信号を送信する信号送信部と、制御信号を相手側のファクシミリ装置から受信する信号受信部と、相手側装置から制御信号のうち第１の制御信号を受信した後、再送された２回目の第１の制御信号を受信するまでの時間Ｐｒを測定する時間測定部と、自己装置から送信する制御信号の再送時間間隔Ｐｓを、測定された時間Ｐｒとは異なる時間に設定する再送時間設定部と、設定された再送時間間隔Ｐｓを記憶する記憶部とを備え、自己装置から相手側装置へ、記憶された再送時間間隔Ｐｓが経過した後に、制御信号の再送を行うことを特徴とする。【選択図】図３
2013126148.tif 000002
【特許請求の範囲】
【請求項１】
読み取った原稿を画像データに変換して送信するファクシミリ装置において、
前記画像データ及び画像データを送信する所定の通信シーケンスを実現するために規定された複数の制御信号を送信する信号送信部と、
前記制御信号を相手側のファクシミリ装置から受信する信号受信部と、
相手側のファクシミリ装置から前記制御信号のうち第１の制御信号を受信した後、再送された２回目の前記第１の制御信号を受信するまでの時間Ｐｒを測定する時間測定部と、
自己のファクシミリ装置から送信する制御信号の再送時間間隔Ｐｓを、前記測定された時間Ｐｒとは異なる時間に設定する再送時間設定部と、
前記設定された再送時間間隔Ｐｓを記憶する記憶部とを備え、
自己のファクシミリ装置から相手側のファクシミリ装置へ、前記記憶された前記再送時間間隔Ｐｓが経過した後に、前記制御信号の再送を行うことを特徴とするファクシミリ装置。
【請求項２】
前記第１の制御信号は、被呼側のファクシミリ装置から発呼側のファクシミリ装置へ送信されるデジタル識別信号（ＤＩＳ）であることを特徴とする請求項１に記載のファクシミリ装置。
【請求項３】
前記再送時間設定部によって設定される再送時間間隔Ｐｓは、発呼側のファクシミリ装置から送信される制御信号の再送時間間隔であり、前記時間測定部が測定する時間Ｐｒは、回線が閉結された後の被呼側のファクシミリ装置から送信される制御信号の再送時間間隔に相当する時間であることを特徴とする請求項１または２に記載のファクシミリ装置。
【請求項４】
前記再送時間設定部が設定する再送時間間隔Ｐｓは、前記測定された時間Ｐｒよりも大きいことを特徴とする請求項１，２または３のいずれかに記載のファクシミリ装置。
【請求項５】
前記記憶部に記憶された再送時間間隔Ｐｓに、所定の通信シーケンスで予め規定された再送時間間隔Ｔ５が予め設定されている場合において、前記時間測定部によって測定された時間Ｐｒが、前記所定の通信シーケンスで予め規定された再送時間間隔Ｔ５と同一であったときに、前記再送時間設定部は、前記再送時間間隔Ｐｓを、前記測定された時間Ｐｒと異なる時間に変更することを特徴とする請求項１ないし４のいずれかに記載のファクシミリ装置。
【発明の詳細な説明】
【技術分野】
【０００１】
この発明は、ファクシミリ装置に関し、特に、制御信号の再送時間間隔（リトライ時間）を設定する機能を有するファクシミリ装置に関する。
【背景技術】
【０００２】
現在用いられているファクシミリ装置間で送受信される信号の通信手順は、国際規格（ＩＴＵ−Ｔ）で定められており、その規格に適合するようにファクシミリ装置が製造されている。
一般的に、発呼側のファクシミリ装置（発呼側装置と呼ぶ）から、被呼側のファクシミリ装置（被呼側装置と呼ぶ）を呼び出すダイヤル信号を通信回線に送出した後、被呼側装置がコーリングトーン（ＣＮＧ）を検出し回線を捕捉することにより、その後の信号の送受信ができるようになる。
【０００３】
発呼側装置と被呼側装置との間で、国際規格（ＩＴＵ−Ｔ）で定められた通信手順どおりに、所定の制御信号の送受信が正常に行われた後、ファクシミリ装置で読み取った画像データの通信が行われるが、回線ノイズや回線の瞬断等の影響で、画像データの送受信よりも前に送信される制御信号のうちいずれかの制御信号が受信できない場合がある。
そのように、ある制御信号が受信できなかった場合は、所定の時間が経過した後、同じ制御信号の再送（リトライ）が行われる。
【０００４】
例えば、発呼側装置が被呼側装置から送信されたＤＩＳ信号（デジタル識別信号）を受信すると、発呼側装置はＤＣＳ信号（デジタル命令信号）を送信するが、被呼側装置は、ＤＩＳ信号の送信後にリトライタイマー（Ｔ５タイマーと呼ぶ）を起動させ、このリトライタイマーで予め設定された時間（再送時間間隔Ｔ５）内に、ＤＣＳ信号が受信できなかった場合は、再度ＤＩＳ信号を送信する。
【０００５】
このＤＩＳ信号を再送する時間間隔（再送時間間隔Ｔ５）は、国際規格（ＩＴＵ−Ｔ）では、３秒と定められている。すなわち、３秒間隔で、ＤＩＳ信号が再送される。
また、発呼側装置から画像データ（ＰＩＸ）が送信された後に、引き続いてＰＰＳ信号（部分ページ信号）が送信されるが、被呼側装置からＭＣＦ信号（メッセージ確認信号）が受信できない場合、発呼側装置は、同じ再送時間間隔Ｔ５（３秒）で、ＰＰＳ信号の再送を行う。
【０００６】
しかし、発呼側装置と被呼側装置は、どちらも国際規格に適合して製造されているので、設定される再送時間間隔Ｔ５の数値は同じ値である。
従って、両装置からほぼ同時刻に信号が送信されてしまった場合、信号衝突（バッティング）が発生し、互いに相手側の信号の受信ができないため、同じ再送時間間隔Ｔ５で同じ信号の再送が繰り返される場合があった。
【０００７】
また、ファクシミリ装置では、上記したＤＩＳ信号の再送時間間隔の間に、発呼側装置から利用者の入力操作に基づくＤＴＭＦ信号を送信する手順を有するものがある。
特許文献１には、上記ＤＩＳ信号の再送時間間隔に相当する空白時間Ｔｓを、規格どおりの短い時間に初期設定しておき、不完全なＤＴＭＦ信号が受信された場合に、被呼端末が自動的に空白時間Ｔｓを長くすることによって、利用者の次の入力操作をやり易くするようにしたファクシミリ装置が提案されている。
【先行技術文献】
【特許文献】
【０００８】
【特許文献１】特開平９−２４７４０５号公報
【発明の概要】
【発明が解決しようとする課題】
【０００９】
従来のファクシミリ装置では、上記のように制御信号を再送する時間間隔（Ｔ５）は、国際規格に基づいて予め設定されているものであり、同一の数値が設定されている。
従って、上記のように発呼側と被呼側の装置とも、同じ再送時間間隔Ｔ５で同じ制御信号の再送が繰り返されると、以後の再送時においてもその信号のバッティングが発生し続け、信号の所定のリトライ回数の上限値に達した場合は、通信エラーになってしまうという問題があった。
【００１０】
また、上記のような再送の繰り返しを回避するためには、装置ごとに再送時間間隔を別の時間に変更することが考えられる。しかし、再送時間間隔をどのように変更するのが適切かは不明であり、仮に同一メーカのファクシミリ装置が同じ時間に変更するように設定されている場合、同一メーカのファクシミリ装置間で通信が行われたとすると、その変更後の再送時間間隔も同一であるために、やはり制御信号のバッティングが発生するおそれがある。
【００１１】
さらに、ファクシミリ伝送において、通信する相手のファクシミリ装置には、種々の装置があり、どのメーカのどのような機種の装置が接続されるかは接続してみないとわからないので、相手の装置の再送時間間隔を考慮せずに、単に自己の装置についての再送時間間隔のみを変更しても、制御信号のバッティングを回避できない場合もある。
【００１２】
そこで、この発明は、以上のような事情を考慮してなされたものであり、相手側装置の信号再送時間の間隔を測定することにより、その測定結果に基づいて、自己の再送時間間隔を設定変更して、制御信号の再送の繰り返し回数を減らして通信エラーの発生を防止するファクシミリ装置を提供することを課題とする。
【課題を解決するための手段】
【００１３】
この発明は、読み取った原稿を画像データに変換して送信するファクシミリ装置において、前記画像データ及び画像データを送信する所定の通信シーケンスを実現するために規定された複数の制御信号を送信する信号送信部と、前記制御信号を相手側のファクシミリ装置から受信する信号受信部と、相手側のファクシミリ装置から前記制御信号のうち第１の制御信号を受信した後、再送された２回目の前記第１の制御信号を受信するまでの時間Ｐｒを測定する時間測定部と、自己のファクシミリ装置から送信する制御信号の再送時間間隔Ｐｓを、前記測定された時間Ｐｒとは異なる時間に設定する再送時間設定部と、前記設定された再送時間間隔Ｐｓを記憶する記憶部とを備え、自己のファクシミリ装置から相手側のファクシミリ装置へ、前記記憶された前記再送時間間隔Ｐｓが経過した後に、前記制御信号の再送を行うことを特徴とするファクシミリ装置を提供するものである。
【００１４】
また、前記第１の制御信号は、被呼側のファクシミリ装置から発呼側のファクシミリ装置へ送信されるデジタル識別信号（ＤＩＳ）であることを特徴とする。
【００１５】
また、前記再送時間設定部によって設定される再送時間間隔Ｐｓは、発呼側のファクシミリ装置から送信される制御信号の再送時間間隔であり、前記時間測定部が測定する時間Ｐｒは、回線が閉結された後の被呼側のファクシミリ装置から送信される制御信号の再送時間間隔に相当する時間であることを特徴とする。
これによれば、発呼側のファクシミリ装置において、被呼側のファクシミリ装置の再送時間間隔を測定するので、発呼側の再送時間間隔を、被呼側装置で予め設定されている再送時間間隔と必ず異なるものに設定することができる。
【００１６】
また、前記再送時間設定部が設定する再送時間間隔Ｐｓは、前記測定された時間Ｐｒよりも大きいことを特徴とする。
これによれば、１度制御信号のバッティングが発生したとしても、その次の制御信号の再送が行われたときに、より確実に制御信号のバッティングを防止することができる。
【００１７】
また、前記記憶部に記憶された再送時間間隔Ｐｓに、所定の通信シーケンスで予め規定された再送時間間隔Ｔ５が予め設定されている場合において、前記時間測定部によって測定された時間Ｐｒが、前記所定の通信シーケンスで予め規定された再送時間間隔Ｔ５と同一であったときに、前記再送時間設定部は、前記再送時間間隔Ｐｓを、前記測定された時間Ｐｒと異なる時間に変更することを特徴とする。
【発明の効果】
【００１８】
この発明によれば、相手側のファクシミリ装置から送信された第１の制御信号を受信した後、再送された２回目の第１の制御信号を受信するまでの時間Ｐｒを測定して、自己のファクシミリ装置から送信する制御信号の再送時間間隔Ｐｓを、その時間Ｐｒとは異なる時間に設定しているので、自己と相手側の両方から送信される制御信号のバッティングが繰り返されるのを回避でき、通信エラーとなるのを防止できる。
【図面の簡単な説明】
【００１９】
【図１】この発明のファクシミリ装置の一実施例の構成ブロック図である。
【図２】この発明の２つのファクシミリ装置間の接続と通信シーケンスの説明図である。
【図３】この発明の再送時間間隔の測定処理の一実施例の説明図である。
【図４】この発明の制御信号の説明図である。
【図５】この発明において、正常時の通信シーケンスの一実施例の説明図である。
【図６】この発明において、信号衝突時の通信シーケンスの一実施例の説明図である。
【図７】この発明において、信号再送時の通信シーケンスの一実施例の説明図である。
【図８】この発明において、信号再送時の通信シーケンスの一実施例の説明図である。
【図９】従来の正常時の通信シーケンスの説明図である。
【図１０】従来において、信号衝突時の通信シーケンスの説明図である。
【発明を実施するための形態】
【００２０】
以下、図に示す実施例に基づいて、この発明を説明する。
なお、これによって、この発明が限定されるものではない。
＜ファクシミリ装置の構成＞
図１に、この発明のファクシミリ装置の一実施例の構成ブロック図を示す。
図１において、この発明のファクシミリ装置は、主として、制御部１１，原稿読取部１２，入力部１３，表示部１４，印字部１５，通信部１６，符号化部１７，復号化部１８，および記憶部１９とを備える。
【００２１】
この発明のファクシミリ装置は、読み取った原稿を画像データに変換して相手側のファクシミリ装置に送信するものであり、既に市販されているいずれの国際規格（例えばＧ３，スーパーＧ３，Ｇ４ など）に対応したファクシミリ装置を用いてもよい。
原稿読取部１２は、所定の解像度で原稿画像を読み取り、送信する画像データを取得する部分であり、いわゆるスキャナに相当する。取得した画像データは、記憶部１９に一時保存される。
【００２２】
入力部１３は、利用者からの指示を入力する部分であり、例えば原稿の読み取り指示、相手先の電話番号、解像度などを入力する操作キーやスイッチ等が用いられる。
表示部１４は、入力部から入力された情報や、装置の現在の動作状態などを表示する部分であり、ＬＣＤや有機ＥＬなどが用いられる。
【００２３】
印字部１５は、通信部１６を介して受信した画像データを記録用紙に印字出力する部分であり、いわゆるプリンタに相当する。
通信部１６は、通信回線を介して接続した相手のファクシミリ装置との間で、所定の制御信号及び画像データ等を送受信する部分である。発呼側のファクシミリ装置は、所定の通信回線、例えば一般加入電話回線（アナログ回線）や、ＩＳＤＮ回線を介して、被呼側のファクシミリ装置と接続されるが、両装置の網制御部で回線を捕捉した後に、モデムによってデータの送受信が行われる。通信部１６は、主として、網制御部２１と、モデム２２とを備える。
【００２４】
網制御部２１は、アナログ回線を収容する公衆電話回線網（ＰＳＴＮ）に対する回線の閉結及び開放を自動的に行う網制御装置（ＮＣＵ）（Network Control Unit）である。
モデム２２は、デジタルの送信信号を通信回線上に伝送できる形態の信号に変調し、通信回線上を伝送されてきた信号を復調してデジタル信号を取得する変復調装置である。
ただし、ＮＣＵは、モデムに含まれている場合もある。
【００２５】
網制御部（ＮＣＵ）２１とモデム２２は、ファクシミリ用に規定された国際規格（ＩＴＵ−Ｔ規格）に基づいて動作する。一般に、発呼側のファクシミリ装置において、被呼側のファクシミリ装置の電話番号が利用者によって入力されると、網制御部（ＮＣＵ）が所定のプロトコルに基づいた発呼処理を行って被呼側のファクシミリ装置に接続して回線を閉結した後、両装置のモデム２２が、所定の通信プロトコルに基づいて、所定の制御信号や画像データの送受信を行う。
この制御信号は、画像データを送信する所定の通信シーケンスを実現するために規定された信号であり、主として、図４に示すような複数の制御信号が規定されている。
【００２６】
符号化部１７は、画像データをデジタル信号に変換して圧縮処理を行う部分であり、復号化部１８は、符号化されたデジタル信号を伸張しもとの画像データを生成する部分である。
記憶部１９は、ファクシミリ装置によって実現される機能を実行するために必要なプログラムや設定データを格納し、送受信される画像データを一時記憶する部分であり、ＲＯＭ，ＲＡＭ等の半導体メモリや、ハードディスクが用いられる。
【００２７】
記憶部１９には、種々のデータが記憶されるが、この発明において特に利用されるデータとしては、例えば、再送間隔初期値（Ｐ０）４１，自己再送時間間隔（Ｐｓ）４２，相手再送時間間隔（Ｐｒ）４３，画像データ４４などがある。
画像データ４４は、原稿読取部１２によって読み取られ、発呼側装置から被呼側装置へ送信されるデータであり、ファクシミリ装置の国際規格に基づいてデジタル化されたデータである。
【００２８】
再送間隔初期値（Ｐ０）４１は、ファクシミリ装置の出荷時にあらかじめ固定的に設定されている数値データであり、国際規格で定められた制御信号（たとえば、ＤＩＳ信号）を再送する場合の時間間隔を意味する。
この初期値（Ｐ０）４１としては、国際規格で定められた再送時間間隔（Ｔ５）が用いられる。以下の実施例では、Ｐ０＝Ｔ５＝３（秒）とする。
【００２９】
自己再送時間間隔（Ｐｓ）４２は、自己装置で設定された制御信号の再送時間間隔であり、この設定された数値を用いて、制御信号が再送される。自己再送時間間隔Ｐｓの初期値は、Ｐｓ＝Ｐ０（＝３）に設定するものとし、このＰｓを新たに設定する場合は、後述するように測定された相手再送時間間隔Ｐｒを考慮して、相手再送時間間隔Ｐｒの数値とは異なる時間が設定される。
自己再送時間間隔Ｐｓが新たに設定された後は、自己のファクシミリ装置から、現在接続されている相手側のファクシミリ装置へ、制御信号Ａを再送する場合は、この設定された再送時間間隔Ｐｓが経過した後に、同じ制御信号Ａの再送が行われる。
【００３０】
相手再送時間間隔（Ｐｒ）４３は、画像データ等を送受信する相手側のファクシミリ装置の再送時間間隔であり、後述するように、時間測定部３３によって測定される時間を意味する。上記したように、制御信号の再送時間間隔Ｔ５は、国際規格で定められた数値が予め設定されているので、一般的には、国際規格に基づいて製造されたファクシミリ装置は、この再送時間間隔Ｔ５としては、同じ時間が設定されている。しかし、現実には、ファクシミリ装置の個々のハードウェアを構成するＣＰＵ，クロック信号、電子回路部品等のばらつきがあるため、厳密には実際の再送時間間隔と設定された時間間隔とは異なると考えられる。
例えば、再送時間間隔がＴ５＝３．００秒に設定されていたとしても、実際の再送時間間隔は、３．０１秒の場合もあれば、２．９５秒の場合もあると考えられる。
【００３１】
そこで、この発明では、相手側のファクシミリ装置から送られてきた特定の制御信号の１回目の受信時刻（ｔ１）と、同じ制御信号の２回目の受信時刻（ｔ２）とを測定し、ｔ２−ｔ１を、相手再送時間間隔Ｐｒとして記憶する。
この相手再送時間間隔Ｐｒは、画像データの通信相手となるファクシミリ装置で信号の再送を行う場合の実際の再送時間間隔に相当し、相手側のファクシミリ装置が異なれば異なる値となる。
【００３２】
上記したように自己再送時間間隔Ｐｓは、相手再送時間間隔Ｐｒと異なる値が設定されるが、例えば、測定の結果Ｐｒ＝３．０１秒であったとすると、Ｐｓ＝３．５０秒（≠Ｐｒ）というような値が設定される。
【００３３】
このように、Ｐｓ≠Ｐｒとなる再送時間間隔Ｐｓを設定することにより、制御信号のバッティングが繰り返されるのを回避することができ、通信エラーとなるのを防止することができる。
【００３４】
図１の制御部１１は、この発明のファクシミリ装置の機能を実現するために、各構成ブロック（１２−１９）を動作させる部分であり、記憶部１９に格納された制御プログラムに基づいて、各種ハードウェアを有機的に動作させる。
【００３５】
制御部１１は、主として、ＣＰＵ，ＲＯＭ，ＲＡＭ，Ｉ／Ｏコントローラ、タイマー等から構成される。
この発明においては、制御部１１は、主として、信号受信部３１，信号送信部３２，時間測定部３３，再送時間設定部３４という機能ブロックに分けることができる。
【００３６】
信号受信部３１は、制御信号を相手側のファクシミリ装置から受信する部分である。具体的には、通信部１６のモデム２２によって復調されたデータを解析し、ファクシミリ通信に関する国際規格で定められた制御信号や、発呼側装置から送信される画像データを受信する部分である。受信データの解析により、どの制御信号を受信したかを特定する。
モデム２２によって復調されたデータは、復号化部１８により所定のデジタル信号に変換された後、信号受信部３１により受信される。
【００３７】
信号送信部３２は、所定の通信シーケンスを実現するために規定された複数の制御信号及び画像データを送信する部分であり、これらの信号等は、モデム２２によって変調されて、通信回線上に伝送される。
また、送信されるべき画像データは、符号化部１７で符号化された後、モデム２２に与えられ、変調される。
【００３８】
また、制御部１１は、制御プログラムによって記述される国際規格の通信シーケンスに基づいて、信号受信部３１と信号送信部３２とを動作させ、制御信号の送信と受信を行って、ファクシミリ通信を実現する。
【００３９】
時間測定部３３は、相手再送時間間隔（Ｐｒ）４３を測定する部分である。具体的には、相手側のファクシミリ装置から複数の制御信号のうち第１の制御信号を受信した後、再送された２回目の第１の制御信号を受信するまでの時間Ｐｒを測定する部分である。
例えば、第１の制御信号として、被呼側のファクシミリ装置から発呼側のファクシミリ装置へ送信されるデジタル識別信号（ＤＩＳ）を用いてもよい。
以下の実施例では、図４に示した制御信号のうち、ＤＩＳ信号の再送時間間隔を測定するものとする。ただし、これに限るものではなく、ＤＩＳ信号の他に、ＭＣＦ、ＣＦＲなどの信号の再送時間間隔を測定してもよい。
【００４０】
ＤＩＳ信号の相手再送時間間隔（Ｐｒ）４３の測定は、発呼側装置（ＳＴＥ）において、被呼側装置（ＲＴＥ）から送信されてくるＤＩＳ信号を２回連続して受信することにより、行う。
具体的には、発呼側装置ＳＴＥにおいて、信号受信部３１によって、１回目のＤＩＳ信号を受信したときに、その受信時刻（ｔ１）を記憶する。あるいは、時間測定用タイマー（Ｔｍ）を起動させてもよい。
【００４１】
１回目のＤＩＳ信号の受信後、２回目のＤＩＳ信号が受信されるのを待ち、２回目のＤＩＳ信号を受信したときに、その受信時刻（ｔ２）を記憶する。ｔ２−ｔ１を計算し、その値を、相手再送時間間隔（Ｐｒ）４３として記憶する（Ｐｒ＝ｔ２−ｔ１）。
あるいは、タイマーＴｍを起動させた場合は、２回目のＤＩＳ信号を受信したときに、タイマーＴｍを停止させ、そのタイマーによってカウントされた時間を相手再送時間間隔（Ｐｒ）４３として記憶する。
この測定された相手再送時間間隔（Ｐｒ）４３は、被呼側装置（ＲＴＥ）で設定されている再送時間間隔（Ｔ５）の実測値である。
【００４２】
再送時間設定部３４は、自己のファクシミリ装置から送信する制御信号の再送時間間隔（Ｐｓ）４２を設定する部分である。ここでは、自己再送時間間隔（Ｐｓ）４２としては、時間測定部３３によって測定された相手再送時間間隔（Ｐｒ）４３とは異なる時間が設定される。
設定された自己再送時間間隔Ｐｓは、記憶部に一時記憶され、現在接続されている相手側のファクシミリ装置との接続が継続中において利用される。
【００４３】
ＰｓはＰｒと異なる数値であれば特に限定されるものではないが、国際規格で定められた再送時間間隔（Ｔ５）とかなり離れた数値を設定するのは現実的でなく、ＰｓとしてＴ５よりもかなり大きな値を設定すると画像データを送信するまでの時間が長くなりすぎ、逆にＰｓをＴ５よりもかなり小さな値を設定すると、かえって再送が起きやすくなる等の弊害が出る場合もあり、好ましくない。
従って、再送時間設定部３４が設定するＰｓの値としては、一義的に決定するのは難しいが、測定された時間Ｐｒよりも大きい数値を設定してもよい。例えば、Ｐｓ≠Ｐｒであって、Ｐｓ＝Ｔ５（例えば３秒）＋α、αは1.5秒程度の値としてもよい。
ただし、Ｐｓ＜Ｔ５であってもよい。
【００４４】
図２に、この発明の２つのファクシミリ装置の間の接続と送受信される制御信号と画像データの通信シーケンスの一実施例の説明図を示す。
図２において、画像データ４４を読み取り送信する側のファクシミリ装置を発呼側装置（ＳＴＥ）と呼び、通信回線を介して画像データ４４を受信する側のファクシミリ装置を被呼側装置（ＲＴＥ）と呼ぶ。
【００４５】
ここで、通信回線は、例えば一般加入電話回線（ＰＳＴＮ：公衆電話回線網に収容されるアナログ回線）であり、網制御部２１によって回線を捕捉した後、両装置（ＳＴＥ，ＲＴＥ）間で、所定の制御信号の送受信をし、ＳＴＥからＲＴＥへ画像データの送信が行われる。
【００４６】
画像データ（ＰＩＸ）の送信の前に、たとえは図２に示すような制御信号の送受信が行われる。
図４に、国際規格で定められたファクシミリ送信で用いられる主要な制御信号の説明図を示す。
【００４７】
図２において、まず、発呼側装置（ＳＴＥ）から被呼側装置（ＲＴＥ）に対して、コーリングトーンＣＮＧ（Calling Tone）を送信する。
被呼側装置（ＲＴＥ）が、コーリングトーンＣＮＧを検出すると、ＳＴＥに対して、被呼局識別信号ＣＥＤ（Called Station Identification signal）を送信し、引き続いて、デジタル識別信号ＤＩＳ（Digital Transmit Command signal）を送信する。このＤＩＳ信号は、伝送速度や最大受信幅などの自己装置の性能情報を含む信号である。
【００４８】
また、図示していないが、ＤＩＳ信号と共に、ＲＴＥからＳＴＥへ、非標準機能信号ＮＳＦ（Non-standard Facilities signal）と、被呼装置識別信号ＣＳＩ（Called Subscriber Identification signal）とを送信する場合もある。
ＮＳＦ信号は、自装置の製造メーカ情報を含む信号であり、ＣＳＩ信号は、自装置の電話番号を含む信号である。
【００４９】
ＳＴＥが、ＤＩＳ信号を受信すると、ＲＴＥへ、デジタル命令信号ＤＣＳ（Digital Command signal）を送信する。このＤＳＣ信号は、ＤＩＳ信号と同様に、伝送速度や最大受信幅などの自装置の性能情報を含む信号である。
【００５０】
また、ＤＣＳ信号と共に、ＳＴＥからＲＴＥへ、送信装置識別信号ＴＳＩ（Transmitting Subscriber Identification signal）と、非標準手順信号ＮＳＳ（Non-standard facilities Set-up）とを送信する場合もある。
ＴＳＩ信号は、自装置の電話番号を含む信号であり、ＮＳＳ信号は、自装置の製造メーカ情報を含む信号である。
【００５１】
その後、ＳＴＥからＲＴＥへ、トレーニングチェック信号ＴＣＦ（Training Check signal）を送信する。ＴＣＦ信号は、画像を送出するに先立って、通信状態の良好さを観測するための信号である。
ＲＴＥがＴＣＦ信号を受信すると、ＲＴＥからＳＴＥへ、受信準備確認信号ＣＦＲ（Confirmation to Receive signal）を送信する。
【００５２】
ＳＴＥがＣＦＲ信号を受信した後、ここまでの制御信号の通信シーケンスにより、ＳＴＥとＲＴＥとの間で互いの情報を共有してリンクが確立し、画像データの送受信ができる状態となる。
【００５３】
次に、ＳＴＥからＲＴＥへ、画像データ（ＰＩＸ）を送信する。
画像データは、一般に単位ブロックのデータ（例えば、65536バイト）に分割されて送信される。
画像データ（ＰＩＸ）が1ブロック分ずつ送信されるごとに、ＳＴＥからＲＴＥへ、部分ページ信号ＰＰＳ（Partial page signal）を送信する。ＲＴＥでは、１つまたは複数のブロックのデータを結合した、１ページ分の画像データを受信するごとに、順次記憶部に格納していく。
ＰＰＳ信号には、図４に示すような４種類の信号がある。
【００５４】
全ての画像データが送信されると、ＳＴＥからＲＴＥへ、画像データの送信が終了したことを示すＰＰＳ−ＥＯＰ（End of Procedures signal）を送信する。ＲＴＥがＰＰＳ−ＥＯＰを受信すると、ＲＴＥからＳＴＥへ、メッセージ確認信号ＭＣＦ（Message Confirmation signal）を送信する。
【００５５】
ＳＴＥがＭＣＦ信号を受信すると、ＳＴＥからＲＴＥへ、切断命令信号ＤＣＮ（Disconnect signal）を送信する。ＲＴＥが、ＤＣＮ信号を受信することにより、画像データの送受信に関係する全ての通信シーケンスが終了し、ＳＴＥ及びＲＴＥにおいて、網制御部２１によって、回線の開放処理が行われる。
図２に示した通信シーケンスは、制御信号の送受信にエラーがなく、正常に通信が行われた場合を示している。
【００５６】
＜この発明の再送時間間隔の設定処理＞
ここでは、発呼側装置（ＳＴＥ）において、自己の再送時間間隔（Ｐｓ）４２を設定する処理の一実施例について説明する。
被呼側装置（ＲＴＥ）は、国際規格で規定された再送時間間隔（Ｔ５）が予め設定されており、この間隔は変更されることなく、制御信号を再送する場合には、この間隔Ｔ５の経過後に、再度同じ制御信号が送信されるものとする。
【００５７】
この実施例では、上記した再送時間設定部３４によって設定される再送時間間隔Ｐｓは、発呼側のファクシミリ装置から送信される制御信号の再送時間間隔であり、時間測定部３３が測定する時間Ｐｒ（相手再送時間間隔）は、回線が閉結された後の被呼側のファクシミリ装置から送信される制御信号の再送時間間隔に相当する時間である。
【００５８】
また、ＳＴＥにおいて、自己再送時間間隔Ｐｓには、初期値として再送間隔初期値Ｐ０が予め設定されているものとする（Ｐｓ＝Ｐ０）。
上記したように、Ｐ０としては、国際規格の再送時間間隔Ｔ５を用いるものとする。
【００５９】
発呼側装置（ＳＴＥ）は、ＲＴＥから送られてきた１回目のＤＩＳ信号の受信を確認した場合、図２に示した通常の通信シーケンスにおいて行うべきＤＣＳ信号の送信はしないで、２回目のＤＩＳ信号の受信を確認する。
【００６０】
図３に、この発明の再送時間間隔の測定及び設定処理を説明する通信シーケンス図を示す。
図３において、ＳＴＥにおいて、相手先を選択しファクシミリ送信を開始するための入力操作が行われると、ＮＣＵによって回線を閉結した後、ＳＴＥからＲＴＥへ、ＣＮＧ信号が送信される。
ＲＴＥが、ＣＮＧ信号の受信を確認すると、ＲＴＥからＳＴＥへ、ＣＥＤ信号を送信した後、ＤＩＳ信号を送信する。ＲＴＥは、ＤＩＳ信号を送信した後、ＳＴＥから送信されてくるはずのＤＮＳ信号の受信を待つために、再送時間間隔Ｔ５をカウントするタイマーを起動させる。あるいは、ＤＩＳのみならず、ＮＳＦ信号及びＣＳＩ信号も送信してもよい。
【００６１】
ＳＴＥにおいて、ＣＥＤ信号の受信を確認した後、ＤＩＳ信号が受信されるのを待つ。
ＳＴＥとＲＴＥとの間で網制御部（ＮＣＵ）によって回線接続が行われた後、ＳＴＥにおいて１回目のＤＩＳ信号の受信が確認された場合、その受信時刻ｔ１を記憶する。あるいは、タイマーＴｍを起動させてもよい。
【００６２】
このとき、ＳＴＥでは、１回目のＤＩＳ信号に対応するＤＣＳ信号の送信はしないで、再度ＤＩＳ信号が受信されるのを待つ。一方、ＲＴＥにおいて、ＤＣＳ信号が受信されることなく、上記したように起動されたタイマーによってカウントされた再送時間間隔Ｔ５が経過した場合、ＲＴＥからＳＴＥへ、再度、ＤＩＳ信号を送信する。
すなわち、２回目のＤＩＳ信号を送信する。
【００６３】
ＳＴＥにおいて、この２回目のＤＩＳ信号の受信を確認した場合、その受信時刻ｔ２を記憶する。時間測定部３３は、ｔ２−ｔ１を計算し、相手再送時間間隔（Ｐｒ）４３として、記憶する（Ｐｒ＝ｔ２−ｔ１）。
あるいは、タイマーＴｍを起動させている場合は、２回目のＤＩＳ信号を受信したときにタイマーを停止させ、起動から停止までにカウントした時間を、相手再送時間間隔（Ｐｒ）４３として、記憶する。
【００６４】
ＲＴＥにおいて、再送時間間隔として規格の設定値Ｔ５が設定されている場合において、測定された時間間隔Ｐｒは、ほとんどＰｒ＝Ｔ５と考えられるが、厳密にはＴ５とは異なり、設定値Ｔ５とはわずかにずれた数値となる場合もある（Ｐｒ≠Ｔ５）。
【００６５】
次に、ＳＴＥにおいて、再送時間設定部３４が、記憶した時間間隔Ｐｒに基づいて、ＳＴＥの自己再送時間間隔（Ｐｓ）４２を設定する。この間隔Ｐｓとしては、測定した間隔Ｐｒとは異なる数値（秒）を設定する。
例えば、ＰｒやＴ５よりもわずかに大きな数値を設定する。Ｐｒ＝Ｔ５＝３．００秒であったとすると、例えば、Ｐｒ＝３．５０（秒）を設定する。あるいは、測定したＰｒがＴ５と異なる数値であった場合、例えば、Ｐｒ＝３．３０（秒）であった場合、Ｐｓとしては、変更せずに国際規格の設定値（Ｔ５＝３秒）である初期値（Ｐ０）のままにしておいてもよい。
【００６６】
すなわち、再送時間間隔Ｐｓの初期値として、国際規格の所定の通信シーケンスで予め規定された再送時間間隔Ｔ５が予め設定されている場合において、時間測定部によって測定されたＲＴＥの時間Ｐｒが上記設定された再送時間間隔Ｔ５と異なる場合は、Ｐｓの値は変更しない。ただし、測定されたＲＴＥの時間Ｐｒが上記予め規定された再送時間間隔Ｔ５と同一であったときに、再送時間設定部は、再送時間間隔Ｐｓの値を、測定された時間Ｐｒ（＝Ｔ５）と異なる時間に変更すればよい。
【００６７】
以後の通信シーケンスにおいて、ＳＴＥから同じ制御信号を再送する場合は、設定変更された自己再送時間間隔（Ｐｓ）４２を利用して、その時間間隔Ｐｓの経過後に、制御信号の再送を行う。
【００６８】
図３において、ＳＴＥは、再送時間間隔Ｐｓを設定した後、ＤＣＳ信号及びＴＣＦ信号の送信を行う。以後の通信シーケンスは、図２と同一であるので、説明を省略する。
なお、画像データの送信が全て終了し、回線を開放した後は、発呼側の自己再送時間間隔Ｐｓは、その初期値（Ｐ０）４１に戻しておくことが好ましい。
【００６９】
以上のように、発呼側装置（ＳＴＥ）において、ファクシミリの通信シーケンスのうち、最初の方で送信される１回目のＤＩＳ信号を受信した後、再送される２回目のＤＩＳ信号を受信するまでの再送時間間隔（Ｐｒ）を測定して、この再送時間間隔（Ｐｒ）と異なる時間間隔を、ＳＴＥの自己再送時間間隔（Ｐｓ）に設定するので、ＤＩＳ信号の受信をした時よりも後に送信する制御信号の再送に、この時間間隔（Ｐｓ）を利用することにより、ＳＴＥとＲＴＥとの間で発生する可能性のある制御信号の衝突（バッティング）を防止し、あるいはバッティングの繰り返しを少なくすることができる。
【００７０】
＜その他の実施例＞
図５に、この発明のファクシミリ装置の通信シーケンスの一実施例の説明図を示す。
図５では、所定の通信シーケンスのとおり、正常に制御信号の送受信が行われる場合を示している。ここでは、図３と異なり、ＲＴＥからＳＴＥに対し、ＣＥＤ信号の送信後に、ＮＳＦ信号と、ＣＳＩ信号と、１回目のＤＩＳ信号とを送出する場合を示している。
【００７１】
ＳＴＥは、ＣＥＤ，ＮＳＦ，ＣＳＩ，および１回目のＤＩＳの各信号を受信したことを確認すると、図３と同様に、時間測定部３３により、ＤＩＳ信号の再送時間間隔の測定処理を行う。
その後、ＲＴＥでは、ＤＩＳ信号に対する応答であるＤＣＳ信号が所定の再送時間間隔（Ｔ５）の間に受信されなかったので、２回目のＤＩＳ信号を送信する。
【００７２】
ＳＴＥは、この２回目のＤＩＳ信号を受信すると、時間測定を終了し、１回目のＤＩＳ信号の受信時刻を、２回目のＤＩＳ信号の受信時刻との差を、相手再送時間間隔（Ｐｒ）として設定する。
そして、この時間間隔Ｐｒが、規格で定められた初期設定値Ｔ５に等しいか、あるいはＴ５から測定誤差程度の値しか離れていない場合には、自己再送時間間隔Ｐｓを、初期値（Ｐ０＝Ｔ５）とは異なる値、例えば、Ｐｓ＝Ｔ５＋α，α＝1.5（秒）に設定する。
ただし、測定した時間間隔ＰｒがＴ５よりも大きくずれている場合や、Ｔ５から想定される測定誤差以上離れている場合は、自己再送時間間隔Ｐｓの値は、初期値（Ｐ０＝Ｔ５）のままにしてもよい。
【００７３】
その後、ＳＴＥは、ＲＴＥに対して、応答信号として、ＴＳＩ信号、ＮＳＳ信号、ＤＣＳ信号を送信する。さらに、ＳＴＥからＲＴＥに対して、ＴＣＦ信号を送信すると、その応答として、ＳＴＥからＲＴＥに対して、ＣＦＲ信号が送出される。
【００７４】
以後、ＳＴＥからＲＴＥに対して、読み取った画像データを１ページごとに分割して送信する手順が繰り返されることになる。
画像データがすべて送信され、ＲＴＥにおいて、すべての画像データが受信されたことを確認したとすると、ＲＴＥからＳＴＥに対して、ＭＣＦ信号が送信される。
その後、ＳＴＥにおいて、ＭＣＦ信号が受信されると、ＳＴＥからＲＴＥに対して、ＤＣＮ信号が送信された後、回線を開放してファクシミリ通信を終了する。
【００７５】
図６に、この発明の通信シーケンスにおいて、画像データ（ＰＩＸ）の送信後、ＰＰＳ信号（ＰＰＳ−０１）と、ＭＣＦ信号（ＭＣＦ−０１）とがほぼ同時に送信され、信号の衝突（バッティング）が発生した場合の説明図を示す。
ここでは、ＳＴＥにおいて、自己再送時間間隔Ｐｓがすでに設定され、ＳＴＥの再送時間間隔Ｐｓは、ＲＴＥの再送時間間隔Ｔ５よりも大きいとする（Ｐｓ＞Ｔ５）。
【００７６】
図６に示すように、ＰＰＳ−０１信号と、ＭＣＦ−０１信号が衝突し、互いに相手から送信された信号が受信できなかったとする。
ＳＴＥでは、ＰＰＳ−０１信号の送信後、タイマーが起動され、再送時間間隔Ｐｓの間、ＲＴＥから送信されるはずのＭＣＦ信号が受信されるのを待つ。
【００７７】
一方、ＲＴＥでは、ＭＣＦ−０１信号の送信後、タイマーが起動され、再送時間間隔Ｔ５の間、ＳＴＥから送信されるはずのＰＰＳ信号が受信されるのを待つ。
ここで、ＰＰＳ−０１信号とＭＣＦ−０１信号の送信時刻がほぼ同じであったとすると、Ｐｓ＞Ｔ５であるので、タイマー値としてＰｓよりもＴ５の方が先にカウントが終了し、ＲＴＥからＳＴＥに対して、ＭＣＦ−０１信号が再送される。
【００７８】
ＳＴＥにおいて、再送時間間隔Ｐｓの間に、ＭＣＦ−０１信号の受信を確認したとすると、ＳＴＥは、タイマーのカウントを中止し、次の画像データ（ＰＩＸ）の送信処理に入る。
以後、ＳＴＥからＲＴＥに対して、ＰＩＸの送信後、ＰＰＳ−０２信号が送信され、ＲＴＥにおいて、ＰＩＸとＰＰＳ−０２信号が受信されると、ＲＴＥからＳＴＥに対してＭＣＦ−０２が送信される。
【００７９】
このように、ＳＴＥの自己再送時間間隔Ｐｓを、現在接続されている相手側のＲＴＥの再送時間間隔Ｔ５とは異なる値に設定しているので、画像データ送信中の制御信号の送受信にバッティングが発生したとしてもその直後の制御信号の再送において、正常な通信状態に戻ることが可能となる。あるいは、バッティングが何回か発生したとしても従来よりも少ない再送回数で正常な通信状態に戻ることが可能となる。
【００８０】
図９と図１０において、参考例として、従来の通信シーケンスの一実施例の説明図を示す。
図９は、従来において、バッティングが発生していない場合の通信シーケンスを示している。
図１０は、従来において、画像データの送信中において、制御信号であるＰＰＳ信号と、ＭＣＦ信号とが衝突（バッティング）した場合の一実施例の通信シーケンスを示している。
【００８１】
図９において、ＳＴＥが、ＮＳＦ信号、ＣＳＩ信号に続いて１回目のＤＩＳ信号が受信されたことを確認した場合、すぐに、これらの信号に対する応答信号としてＴＳＩ信号、ＮＳＳ信号及びＤＣＳ信号を送信している。
以後、通信エラーもなく、信号のバッティングも発生していないとすると、図５に示した通信シーケンスと同様に、ＴＣＦ信号とＣＦＲ信号の送受信に続いて、画像データの送信が行われる。
【００８２】
図１０において、従来のファクシミリ装置のＳＴＥ，ＲＴＥとも、再送時間間隔として、国際規格の数値Ｔ５が設定されているものとする。この状態で、図１０に示すように、ＰＰＳ−０１信号とＭＣＦ−０１とが衝突（バッティング）した場合、どちらの信号も相手側に受信されないため、相手側からの応答信号が受信されないことにより、制御信号が再送される。
【００８３】
すなわち、ＳＴＥでは、ＰＰＳ−０１信号を送信した後、自己再送時間間隔（Ｐｓ＝Ｔ５）をカウントするタイマーが起動され、ＭＣＦ信号が受信されないため、その時間（Ｐｓ）が経過した後、ＰＰＳ−０１信号が再送される。
【００８４】
また、ＲＴＥでは、ＭＣＦ−０１信号を送信した後、再送時間間隔Ｔ５をカウントするタイマーが起動され、ＰＰＳ信号が受信されないため、その時間（Ｔ５）が経過した後、ＭＣＦ−０１信号が再送される。
【００８５】
ここで、ＳＴＥとＲＴＥでそれぞれカウントされる時間間隔のタイマー値（ＰｓとＴ５）が、同一であり、１回目のＰＰＳ−０１信号とＭＣＦ−０１信号の送信時刻が同一であったとすると、再送された２回目のＰＰＳ−０１信号とＭＣＦ−０１信号もバッティングすることになり、さらに両信号が再送されることになる。
その後も、再送時間間隔が変更されないとすると、３回目以降のＰＰＳ−０１信号とＭＣＦ−０１信号の再送においてもバッティングすることになり、最終的には、再送回数が所定の再送最大回数に達して通信エラーとなる場合もある。
【００８６】
これに対して、この発明では、図６に示したように、一度信号の衝突（バッティング）が発生したとしても、その後の信号の再送により、バッティングが解消して正常な通信状態に戻すことができる。あるいは、バッティングが何度か連続して発生したとしても、ＳＴＥとＲＴＥの再送時間間隔は異なる数値が設定されるので、従来よりも少ない再送回数でバッティングを解消することができ、従来のようなバッティングを解消できずに通信エラーとなってしまうことを回避できる。
【００８７】
＜正常でない通信シーケンスの例＞
また、図７に、この発明の正常でない通信シーケンスの一実施例の説明図を示す。
ここでは、ＲＴＥにおいて、ＳＴＥから送信されるＰＰＳ信号が受信できなかった場合の通信シーケンスを示す。
また、ＲＴＥにおいては、ＰＰＳ信号が受信されない場合は、この信号に対する応答信号であるＭＣＦ信号は送信しないものとする。
ＳＴＥにおいて、画像データＰＩＸを送信した後、ＳＴＥからＲＴＥへ、ＰＰＳ−０１信号を送信したとする。
【００８８】
ＳＴＥでは、ＰＰＳ−０１信号を送信した後、自己再送時間間隔Ｐｓをカウントするタイマーを起動させて、ＭＣＦ信号が受信されるのを待つ。
ＲＴＥでは、ＰＩＸを受信した後、ＰＰＳ信号が受信されるのを待つが、ＰＰＳ−０１信号が受信されない場合は、応答信号であるＭＣＦ信号を送出しない。
【００８９】
従って、ＳＴＥでは、ＭＣＦ信号が受信されないので、自己再送時間間隔Ｐｓが経過すると、再度ＰＰＳ−０１信号を送信する。
ＲＴＥにおいて、このＰＰＳ−０１信号が受信できず、ＭＣＦ信号が送信されない限り、ＳＴＥからＲＴＥに対して、自己再送時間間隔Ｐｓで、ＰＰＳ−０１信号が再送されることになる。
再送のシーケンスが行われている状態で、ＲＴＥがＰＰＳ−０１信号を受信できたとすると、ＲＴＥからＳＴＥに対し、ＭＣＦ信号が送信され、次の画像データの送信などの正常なシーケンスに戻る。
【００９０】
図８に、この発明において、正常でない通信シーケンスの他の実施例の説明図を示す。
ここでは、ＳＴＥにおいて、ＲＴＥからＳＴＥへ送信されるＭＣＦ信号が受信できなかった場合の通信シーケンスを示す。
ＳＴＥにおいて、ＰＰＳ信号を送信した後、この信号に対する応答信号であるＭＣＦ信号が受信されない場合は、次の画像データを送信しないものとする。
【００９１】
また、ＳＴＥからＲＴＥへ、画像データＰＩＸに続いて、ＰＰＳ−０１信号が送信され、ＲＴＥで、ＰＩＸとＰＰＳ−０１信号の受信が確認できたとする。このとき、ＲＴＥでは、ＳＴＥに対して、ＭＣＦ信号を送信し、ＲＴＥ側の再送時間間隔Ｔ５をカウントするタイマーを起動させる。ＲＴＥは、このタイマーの作動中において、次の画像データが受信されるのを待つ。
【００９２】
一方、ＳＴＥにおいては、ＰＰＳ信号を送信した後、ＭＣＦ信号の受信を待つが、ＭＣ信号が受信されないので、次の画像データを送信しない状態となっている。
このとき、ＲＴＥにおいて、次の画像データを受信することなく、再送時間間隔Ｔ５が経過したとすると、再度ＭＣＦ−０１信号を送信する。
【００９３】
その後、ＲＴＥにおいて、次の画像データが受信されない限り、ＲＴＥからＳＴＥに対して、ＲＴＥ側の再送時間間隔Ｔ５で、ＭＣＦ−０１信号が再送されることになる。
その後、ＳＴＥにおいて、ＭＣＦ−０１信号が受信できたとすると、ＳＴＥからＲＴＥに対して、次の画像データＰＩＸと、ＰＰＳ−０２信号が送信されて、正常なシーケンスに戻る。
【符号の説明】
【００９４】
１１    制御部
１２    原稿読取部
１３    入力部
１４    表示部
１５    印字部
１６    通信部
１７    符号化部
１８    復号化部
１９    記憶部
２１    網制御部（ＮＣＵ）
２２    モデム
３１    信号受信部
３２    信号送信部
３３    時間測定部
３４    再送時間設定部
４１    再送間隔初期値（Ｐ０）
４２    自己再送時間間隔（Ｐｓ）
４３    相手再送時間間隔（Ｐｒ）
４４    画像データ
【図１】
2013126148.tif 000003
【図２】
2013126148.tif 000004
【図３】
2013126148.tif 000005
【図４】
2013126148.tif 000006
【図５】
2013126148.tif 000007
【図６】
2013126148.tif 000008
【図７】
2013126148.tif 000009
【図８】
2013126148.tif 000010
【図９】
2013126148.tif 000011
【図１０】
2013126148.tif 000012